(57)【要約】【課題】映像再生位置を制御するタイムバー上で、映像内容を把握することの出来る情報処理装置を提供する。【解決手段】記憶装置と、映像データから複数の画像を抽出すると共に、タイムスタンプ情報と共に該画像を記憶装置に記録する画像抽出手段と、映像データを復号する復号手段と、復号手段が映像データを復号する再生位置を制御するためのシークバーを表示すると共に、タイムスタンプ情報を元に定められるシークバー上の位置に、画像抽出手段により抽出された画像を表示する表示制御手段とを備える。【選択図】  図５
2010239210.tif 000002
【特許請求の範囲】
【請求項１】
記憶装置と、
映像データから複数の画像を抽出すると共に、タイムスタンプ情報と共に該画像を前記記憶装置に記録する画像抽出手段と、
映像データを復号する復号手段と、
前記復号手段が映像データを復号する再生位置を制御するためのシークバーを表示すると共に、前記タイムスタンプ情報を元に定められる前記シークバー上の位置に、前記画像抽出手段により抽出された画像を表示する表示制御手段と
を備える情報処理装置。
【請求項２】
前記画像抽出手段は、抽出した画像に対するクラスタリングを行い、
前記表示制御手段は、前記シークバー上での画像選択に応じて、選択された画像と同じクラスタに分類された画像のタイムスタンプ情報を元に定められる前記シークバー上の位置に第１のアイコンを選択可能に表示すること
を特徴とする請求項１記載の情報処理装置。
【請求項３】
前記復号手段は、前記第１のアイコンに対する選択操作に応じて、再生位置を、該選択された第１のアイコンの位置に応じた位置とすること
を特徴とする請求項２記載の情報処理装置。
【請求項４】
前記表示制御手段は、前記画像抽出手段により画像が抽出された前記シークバー上の位置に第２のアイコンを表示すると共に、当該第２のアイコンに対するカーソル操作に応じて、シークバー上に該画像を表示すること
を特徴とする請求項１記載の情報処理装置。
【請求項５】
前記表示制御手段は、映像データの一定区間内に前記画像抽出手段により１以上の画像が抽出された場合に、当該区間に応じた前記シークバー上の位置に前記第２のアイコンを表示すること
を特徴とする請求項４記載の情報処理装置。
【発明の詳細な説明】
【技術分野】
【０００１】
本発明は、映像データを再生可能な情報処理装置に関する。
【背景技術】
【０００２】
近年、映像データを再生可能な情報処理装置が広く普及すると共に、当該映像データの再生位置をユーザが制御する際に、シークバーを利用することが広く行われている（例えば、特許文献１参照）。
【０００３】
特許文献１には、タイムバー上に、特徴的な場面の開始位置を示すアイコンを表示し、所望のアイコンを選択することによって選択されたアイコンに対応するイベント場面の開始位置から映像の再生を開始することのできるビデオ録画再生装置が開示されている。
【先行技術文献】
【特許文献】
【０００４】
【特許文献１】特開２００１―２９２４０２号公報
【発明の概要】
【発明が解決しようとする課題】
【０００５】
しかしながら、特許文献１記載の手法では、イベントの有無及びそのタイムバー上の開始位置及びイベント内容を知ることは出来るものの、誰が出ているのか、どのような画像が表示されるのか、誰が登場するのか等といった、具体的な映像内容を把握することが出来ない。
【０００６】
そこで本発明は、映像再生位置を制御するタイムバー上で、映像内容を把握することの出来る情報処理装置を提供することを目的とする。
【課題を解決するための手段】
【０００７】
上記目的を達成するために、本発明の情報処理装置は、記憶装置と、映像データから複数の画像を抽出すると共に、タイムスタンプ情報と共に該画像を前記記憶装置に記録する画像抽出手段と、映像データを復号する復号手段と、前記復号手段が映像データを復号する再生位置を制御するためのシークバーを表示すると共に、前記タイムスタンプ情報を元に定められる前記シークバー上の位置に、前記画像抽出手段により抽出された画像を表示する表示制御手段とを備えることを特徴とする。
【発明の効果】
【０００８】
本発明によれば、そこで本発明は、映像再生位置を制御するタイムバー上で、映像内容を把握することの出来る情報処理装置を提供することを目的とする。
【図面の簡単な説明】
【０００９】
【図１】本発明の一実施形態に係る情報処理装置のシステム構成を示すブロック図。
【図２】本発明の一実施形態に係る映像インデキシング処理を説明するための図。
【図３】本発明の一実施形態に係る情報処理装置が作成するデータベースの例を示す図。
【図４】本発明の一実施形態に係る情報処理装置が実行するプログラムの処理の流れを説明するための図。
【図５】本発明の一実施形態に係る情報処理装置が表示する画面例を示す図。
【図６】本発明の一実施形態に係る情報処理装置が表示する画面例を示す図。
【図７】本発明の一実施形態に係る情報処理装置が表示する画面例を示す図。
【図８】本発明の一実施形態に係る情報処理装置の処理の流れを示すフローチャート。
【発明を実施するための形態】
【００１０】
以下、本発明の情報処理装置の実施形態について、図面を参照しながら説明する。
まず、図１を参照して、本発明の一実施形態に係る情報処理装置のシステム構成を説明する。本実施形態の情報処理装置は、例えば、パーソナルコンピュータとして実現される。
【００１１】
情報処理装置１は、放送番組データや、外部機器から入力される映像データ等の映像コンテンツデータ（オーディオビジュアルコンテンツデータ）を、映像再生プログラムにより記録及び再生することができる。
【００１２】
情報処理装置１は、図１に記載されるように、ＣＰＵ（Ｃｅｎｔｒａｌ  Ｐｒｏｃｅｓｓｉｎｇ  Ｕｎｉｔ）１０１、ノースブリッジ１０２、主メモリ１０３、サウスブリッジ１０４、ＧＰＵ（Ｇｒａｐｈｉｃａｌ  Ｐｒｏｃｅｓｓｉｎｇ  Ｕｎｉｔ）１０５、ＶＲＡＭ（Ｖｉｄｅｏ  ＲＡＭ）１０５Ａ、ＬＣＤ（Ｌｉｑｕｉｄ  Ｃｒｙｓｔａｌ  Ｄｉｓｐｌａｙ）１０６、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）制御回路１０７、ＨＤＭＩ端子１０８、サウンドコントローラ１０９、スピーカ１１０、ＢＩＯＳ（Ｂａｓｉｃ  Ｉｎｐｕｔ／Ｏｕｔｐｕｔ  Ｓｙｓｔｅｍ）−ＲＯＭ１１１、ＬＡＮ（Ｌｏｃａｌ  Ａｒｅａ  Ｎｅｔｗｏｒｋ）コントローラ１１２、ＨＤＤ（Ｈａｒｄ  Ｄｉｓｋ  Ｄｒｉｖｅ）１１３、ＯＤＤ（Ｏｐｔｉｃａｌ  Ｄｉｓｋ  Ｄｒｉｖｅ）１１４、マルチメディアプロセッサ１１５、メモリ１５Ａ、無線ＬＡＮコントローラ１１６、ＴＶチューナ１１７、ＫＣ／ＫＢＣ（エンベデッドコントローラ／キーボードコントローラＩＣ）１１８、リモコンユニットインタフェース１１９、キーボード１２０、タッチパッド１２１等を備えている。
【００１３】
ＣＰＵ１０１は、情報処理装置１の動作を統括制御するプロセッサであり、ＨＤＤ１１３から主メモリ１０３にロードされる、ＯＳ（オペレーティングシステム）１０、及び映像再生プログラム１１のような各種アプリケーションプログラムを実行する。また、ＣＰＵ１０１は、ＢＩＯＳ−ＲＯＭ１０９に格納されたＢＩＯＳも実行する。ＢＩＯＳはハードウェア制御のためのプログラムである。
【００１４】
映像再生プログラム１１は、ＨＤＤ１１３や、ＯＤＤ１１４に装填されたＤＶＤ等の光ディスク等の記憶媒体に記録された映像データを読み出して再生するためのソフトウェアである。映像再生プログラム１１が再生対象とする映像データはいずれの記憶媒体に記憶されているものであっても、ＴＶチューナ１１７から受信する放送信号から得られるものであっても構わないが、以下、ＨＤＤ１１３に装填された映像データを再生するものとして説明を行う。
【００１５】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、ＰＣＩ  Ｅｘｐｒｅｓｓ規格のシリアルバスを介してＧＰＵ１０５との通信を実行する機能も有している。
【００１６】
ＧＰＵ１０５は、情報処理装置１のディスプレイモニタとして使用されるＬＣＤ１０６を制御する表示コントローラである。このＧＰＵ１０５によって生成される表示信号はＬＣＤ１０６へ送られる。また、ＧＰＵ１０５は、ＨＤＭＩ制御回路１０７及びＨＤＭＩ端子１０８を介して、外部ディスプレイ装置２へデジタル映像信号を送出することもできる。
【００１７】
ＨＤＭＩ端子１０８は、上述の外部ディスプレイ接続端子である。ＨＤＭＩ端子１０８は、非圧縮のデジタル映像信号と、デジタル音声信号とを一本のケーブルでテレビのような外部ディスプレイ装置２へ出力することができる。ＨＤＭＩ制御回路１０７は、デジタル映像信号を、ＨＤＭＩ端子２を介して外部ディスプレイ装置２へ出力するためのインタフェースである。
【００１８】
サウスブリッジ１０４は、ＬＰＣ（Ｌｏｗ  Ｐｉｎ  Ｃｏｕｎｔ）バス上の各デバイス、及びＰＣＩ（Ｐｅｒｉｐｈｅｒａｌ  Ｃｏｍｐｏｎｅｎｔ  Ｉｎｔｅｒｃｏｎｎｅｃｔ）バス上の各デバイスを制御する。また、サウスブリッジ１０４は、ＨＤＤ１１３及びＯＤＤ１１４を制御するためのＩＤＥ（Ｉｎｔｅｇｒａｔｅｄ  Ｄｒｉｖｅ  Ｅｌｅｃｔｒｏｎｉｃｓ）コントローラを内蔵している。更に、サウスブリッジ１０４は、サウンドコントローラ１０９との通信を制御する機能も有している。
【００１９】
また更に、サウスブリッジ１０４には、ＰＣＩ  Ｅｘｐｒｅｓｓ（ＰＣＩｅ）規格のシリアルバス等を介してマルチメディアプロセッサ１１５に接続されている。
メモリ１１５Ａは、マルチメディアプロセッサ１１５の作業メモリとして用いられる。マルチメディアプロセッサ１１５は、動画処理専用に設けられるバックエンドプロセッサであり、例えば、デコード回路と、マルチユースの演算コアとから構成される。このマルチメディアプロセッサ１１５により、ＣＰＵ１０１の負荷増大を招くことなく、映像処理を行うことができる。
【００２０】
より具体的には、マルチメディアプロセッサ１１５は、例えば映像データに対して映像インデキシングに関する処理を行い、映像データからの人物の顔画像を抽出すると共に、抽出された各顔画像が映像データ内に登場する時点を示すタイムスタンプ情報等を出力する。顔画像の抽出は、例えば、映像データの各フレームから顔領域を検出する顔検出処理、検出された顔領域をフレームから切り出す切出し処理等によって実行される。顔領域の検出は、例えば、各フレームの画像の特徴を解析して、予め用意された顔画像特徴サンプルと類似する特徴を有する領域を探索することによって行うことができる。顔領域特徴サンプルは、多数の人物それぞれの顔画像特徴を統計的に処理することによって得られる特徴データである。
【００２１】
その他、マルチメディアプロセッサ１１５は、例えば、映像データ内に含まれるコマーシャル（ＣＭ）区間を検出する処理、及び音声インデキシング処理や、映像データの解像度を上げる超解像処理等の処理も行う。
【００２２】
サウンドコントローラ１０９は音源デバイスであり、再生対象の音声データから得られる音声信号をスピーカ１１０又はＨＤＭＩ制御回路１０７に出力する。
無線ＬＡＮコントローラ１１６は、例えばＩＥＥＥ８０２．１１規格の無線通信を実行する無線通信デバイスである。
エンベデッドコントローラ／キーボードコントローラＩＣ１１８は、電源管理のためのエンベデッドコントローラと、キーボード１２０及びタッチパッド１２１を制御するためのキーボードコントローラとが集積された１チップマイクロコンピュータである。このエンベデッドコントローラ／キーボードコントローラＩＣ１１８は、ユーザによるパワーボタンの操作に応じて情報処理装置１を電源オン／オフする機能を有している。更に、エンベデッドコントローラ／キーボードコントローラＩＣ１１８は、リモコンユニットインタフェース部１１９との通信を実行する機能を有している。
【００２３】
ＴＶチューナ１１７はテレビジョン（ＴＶ）放送信号によって放送される放送番組データを受信する受信装置である。図示しないアンテナ端子に接続されている。このＴＶチューナ１１７は、例えば、地上波デジタルＴＶ放送のようなデジタル放送番組データを受信可能なデジタルＴＶチューナとして実現されている。また、ＴＶチューナ１１７は、外部機器から入力される映像データをキャプチャする機能も有している。
【００２４】
次に、図２を参照して、映像再生プログラム１１によって実行される顔画像表示機能について説明する。
放送番組データのような映像データに対するインデキシング処理（映像インデキシング処理、及び音声インデキシング処理）は、上述したように、マルチメディアプロセッサ１１５によって実行される。
【００２５】
マルチメディアプロセッサ１１５は、映像再生プログラム１１による制御の下、例えば、ユーザによって指定された録画済の放送番組データ等の映像データに対してインデキシング処理を実行する。また、マルチメディアプロセッサ１１５は、ＴＶチューナ１１７によって受信された放送番組データをＨＤＤ１１３に格納する録画処理と並行して、当該放送番組データに対するインデキシング処理を実行することもできる。
【００２６】
映像インデキシング処理（顔画像インデキシング処理ともいう）においてマルチメディアプロセッサ１１５は、映像データをフレーム単位で解析する。そして、マルチメディアプロセッサ１１５は、映像データを構成する複数のフレーム其々から人物の顔画像を抽出すると共に、抽出された各顔画像が映像データ内に登場する時点を示すタイムスタンプ情報を出力する。各顔画像に対応するタイムスタンプ情報としては、映像データの開始から当該顔画像が登場するまでの経過時間、又は当該顔画像が抽出されたフレーム番号等を使用することができる。
【００２７】
更に、マルチメディアプロセッサ１１５は、抽出された各顔画像のサイズ（解像度）も出力する。マルチメディアプロセッサ１１５から出力される顔検出結果データ（顔画像、タイムスタンプ情報ＴＳ）は、データベース２１に顔画像インデキシング情報として格納される。このデータベース２１は、ＨＤＤ１１３内に用意されたインデキシングデータ記憶用の記憶領域である。
【００２８】
図２に示されているように、映像再生プログラム１１は、顔画像表示機能を実行するための顔画像表示処理部（ＧＵＩ処理部）４４を含んでいる。この顔画像表示処理部は、データベース２１に格納されたインデキシング情報を用いて、映像データの概要を提示するための顔画像表示をシークバー上に行う。
【００２９】
具体的には、顔画像表示処理部４４は、データベース２１から顔画像インデキシング情報（顔画像、タイムスタンプ情報Ｓ）を読出し、そしてその顔画像インデキシング情報を用いて、シークバー上の各時間帯（区間）内に顔画像が抽出されているか否かをタイムスタンプ情報を元に判断する。更に、顔画像表示処理部４４は、顔画像が抽出されている区間に対応するシークバー上の位置にアイコンを配置し、当該アイコンにカーソルがマウスオーバーされると、当該区間に抽出された顔画像一覧をバルーン表示する機能を実現する。この顔画像一覧で顔画像が選択されると、当該顔画像と同一人物にクラスタリングされている画像が抽出された区間に対応するシークバー上の位置にアイコンを表示し、当該アイコンをカーソルにより選択されると、当該区間からの再生を開始する。
【００３０】
このような顔画像表示機能により、映像データ全体の中のどの時間帯にどの人物が登場するのかをユーザにわかりやすく提示することができる。また、所望の人物が登場する時間帯からの再生を容易に行うことができる。これらの処理の詳細については、図５以降を参照しながら後述する。
【００３１】
図３は、顔画像分類処理（クラスタリング）によって複数の顔画像を分類することによって得られる幾つかの顔画像グループと各顔画像グループに対応するＩＤ（顔ＩＤ）との関係を示している。
【００３２】
マルチメディアプロセッサ１１５は、ある映像データから抽出した顔画像間の特徴データの相関に基づいて、同一人物に対応する顔画像それぞれを同一カテゴリ（クラスタ）に分類する顔画像分類処理（クラスタリング）を実行する。顔画像分類処理においては、類似する特徴を有する顔画像同士が同一カテゴリー（同一の顔画像グループ）に分類される。図３に示すように、同一人物に対応する顔画像それぞれには、同一のＩＤ（顔ＩＤ）が付与される。図３においては、カテゴリ１は、ある人物Ａを識別するためのＩＤ（顔ＩＤ＝Ａ）が関連付けられる。カテゴリ２に属する顔画像それぞれには、人物Ｂを識別するためのＩＤ（顔ＩＤ＝Ｂ）が関連づけられる。
【００３３】
次に、図４を参照して、映像再生プログラム１１の機能構成を説明する。
映像再生プログラム１１は、上述の顔画像表示処理部（ＧＵＩ処理部）４４に加え、記録処理部４１、インデキシング制御部４２、復号部４３、表示制御部４５等を備えている。
【００３４】
記録処理部４１は、ＴＶチューナ１１７によって受信された放送番組データ、または外部機器から入力されるビデオデータをＨＤＤ１１３に記録する記録処理を実行する。また、記録処理部４１は、ユーザによって予め設定された録画予約情報（チャネル番号、日時）によって指定される放送番組データをＴＶチューナ１１７を用いて受信し、その放送番組データをＨＤＤ１１３に記録する予約録画処理も実行する。
【００３５】
インデキシング制御部４２は、マルチメディアプロセッサ１１５（インデキシング処理部／画像抽出部）を制御して、インデキシング処理を実行させる。ユーザは、録画対象の放送番組データごとにインデキシング処理を実行するか否かを指定することができる。例えば、インデキシング処理の実行が指示された録画対象の放送番組データ（映像データ）については、その放送番組データをＨＤＤ１１３に記録する処理と並行してインデキシング処理が自動的に開始される。また、ユーザは、既にＨＤＤ１１３に格納されている映像データの中から、インデキシング処理を実行すべき映像データを指定することもできる。
【００３６】
尚、インデキシング処理は、必ずしもマルチメディアプロセッサ１１５によって実行する必要は無く、例えば、映像再生プログラム１１自体にインデキシング処理を実行する機能を設けてもよい。この場合、インデキシング処理は、映像再生プログラム１１の制御の元に、ＣＰＵ１０１によって実行される。
【００３７】
復号部４３は、ＨＤＤ１１３に格納されている各映像データを映像に復号（再生）する処理を実行する。また、ＧＵＩ処理部４４が生成するシークバー上のアイコンの中の１つが選択されると再生位置を変更し、当該アイコン位置に対応する時点から、映像データの再生を開始することができる。
【００３８】
ＧＵＩ処理部４４は、ユーザが再生制御をするために操作するためのシークバーや操作パネル等のＧＵＩ画像を生成すると共に、データベース２１を参照して、顔画像やアイコン等のＧＵＩ画像をシークバー上に表示する機能を有する。表示制御部４５は、復号部４３が復号した映像と、ＧＵＩ処理部４４が生成したＧＵＩ画像とを重畳させた映像信号をＯＳ１０に出力し、ＬＣＤ１０６等の表示装置に表示させる。
【００３９】
次に、図５乃至図７を参照しながら、映像再生プログラム１１が出力する画像について説明する。図５乃至図７は、映像再生プログラム１１が出力する画像を説明するための図である。
【００４０】
図５（ａ）は、映像再生プログラム１１が出力する画像の全体を示す図である。映像再生プログラム１１が出力する画像は、大きく分けて、映像表示領域５１と、操作パネル５２とに大別される。
【００４１】
映像表示領域５１は、主として復号部４３で再生した映像を表示するための領域である。また、本実施例では、当該映像表示領域５１以上に、シークバー５４等の各種ＧＵＩ画像も配置される。この詳細については後述する。
【００４２】
操作パネル５２上には、ボタン５３が配置される。ボタン５３は、復号部４３での映像データの復号開始（再生）、終了（停止）、早送り、巻戻し、早送り等の制御手段をユーザに提供するためのＧＵＩ画像である。当該操作パネル５２及びボタン５３は、ＧＵＩ処理部４４が生成し、出力する。
【００４３】
図５（ｂ）は、映像再生プログラム１１が出力するシークバー等の各種ＧＵＩ画像の例を示す図である。
シークバー５４は、復号部４３が映像データを復号する再生位置をスライダ５４の位置として示すためのＧＵＩ画像である。また、ツールバー５４は、スライダ５４に対する操作により、再生位置を変更させる手段をユーザに提供する機能も有する。ここで、シークバー５４の全体の長さＤが映像データの長さに相当し、左端からの距離が、映像データの先頭からの時間に相当する。
【００４４】
また、ツールバー５４上には、アイコン５６が配置される。アイコン５６は、マルチメディアプロセッサ１１５によるインデキシング処理により顔画像が抽出された時間帯に相当する位置に配置される。尚、顔画像の抽出の有無を判断される各区間（時間帯）は、距離ｄに相当する一定時間であり、各時間帯内を示すタイムスタンプ情報を持つ顔画像が存在する場合に、当該時間帯に対応する位置にアイコン５６が配置され、抽出されなかった時間帯に対応する位置にはアイコン５６は配置されない。
【００４５】
また、ユーザ操作により、アイコン５６上にカーソル５０がマウスオーバーされた場合には、バルーン５７がツールバー５４上に表示される。当該バルーン５７には、選択されたアイコン５６に相当する時間帯に抽出された顔画像５７Ａ〜５７Ｃが表示される。尚、図６に示すように、顔画像５７Ａ〜５７Ｃは、カーソル５０により選択可能な画像である。またこのとき、バルーン５７上に配置される顔画像５７Ａ〜５７Ｃは、顔ＩＤがそれぞれ異なる顔画像であって、当該時間帯において、同じ顔ＩＤを有する顔画像の抽出数の多い顔画像から順に並べるようにすることが考えられる。これにより、ユーザはより多くの人物の顔画像であって、登場回数の多い人物の顔画像を見ることができるようになるので、その時間帯の概要をよりよく把握することができるようになる。
【００４６】
また、当該時間帯に多数の顔画像が抽出されている場合（当該時間帯内を示すタイムスタンプ情報を有する顔画像が多数存在する場合）には、バルーン５７上には一定個数の顔だけを配置するようにしても良い。
【００４７】
尚、ここではアイコン５６へのマウスオーバー以外の処理については記載していないが、例えばアイコン５６へのダブルクリック等の操作がなされた場合には、選択されたアイコン位置に相当する位置を、復号部４３による再生位置とするように制御してもよい。
【００４８】
バルーン５７上に表示される顔画像５７Ａ〜５７Ｃのうち、１の顔画像がカーソル５０により選択されると（図６）、ＧＵＩ処理部４４は、図７に示すように、当該顔画像と同一の顔ＩＤを有する顔画像が検出された時間帯に相当する位置にアイコン５８を表示する。
【００４９】
ここで、アイコン５８をカーソル５０の操作により選択されると、復号部４３は、当該時間帯に相当する再生位置からの再生を開始する。これにより、ユーザが選択した人物が登場するシーンへの再生位置の変更を容易にすることができる。
【００５０】
続いて、図８を参照しながら、映像再生プログラム１１による処理の流れを説明する。図８は、遺贈再生プログラム１１の処理の流れを示すフローチャートである。
ユーザにより、ボタン５３が操作されて映像データの再生（復号部４３による復号）を開始すると（Ｓ８０１）、ＧＵＩ処理部４４は、当該映像データに対してインデキシング処理がなされた結果であるデータベース２１を読込む（Ｓ８０２）。
【００５１】
次に、ＧＵＩ処理部４４はデータベース２１から読込んだ顔画像を、タイムスタンプ情報に基づいて時間順にソートし、各時間帯（図５〜７上の区間ｄに相当）での顔画像の有無を判断する（Ｓ８０３）。その結果、顔画像の存在する区間については、シークバー５４上にアイコン５６を配置する（Ｓ８０４）。
【００５２】
その後、ユーザ操作によりカーソル５０がアイコン５６上にマウスオーバーされなければ（Ｓ８０５のＮｏ）、映像データの再生が終了しているか否かを判断し（Ｓ８０６）、終了していなければ（Ｓ８０６のＮｏ）Ｓ８０５の処理に戻る。
【００５３】
ユーザ操作によりカーソル５０がアイコン５６上にマウスオーバーされれば（Ｓ８０５のＹｅｓ）、図５（ａ）に例を示すように、選択されたアイコン５６に相当する時間帯に抽出された顔画像をバルーン５７上に表示する（Ｓ８０７）。当該バルーン５７上の顔画像がユーザにより選択されれば（Ｓ８０８のＹｅｓ）、図７に示すように、選択された顔画像と同一人物の顔画像（同一の顔ＩＤを有する顔画像）が検出された区間に相当するシークバー５４上の位置にアイコン５８を配置すると共に、検出されなかった区間にはアイコン５８を配置しないようにする（Ｓ８０９）。当該アイコン５８のうちいずれかがユーザにより選択されると（Ｓ８１０のＹｅｓ）、復号部４３は、選択されたアイコンに相当する時点に再生位置を移動させる（Ｓ８１１）。
【００５４】
以上説明したように、本実施例によれば、ツールバー５４上に顔画像５７Ａ〜５７Ｃを表示可能とするので、例えば、映像データの再生中に、どの位置にどのような登場人物が登場するのかといった映像内容を容易に把握可能となる。
【００５５】
また、顔画像５７Ａ〜５７Ｃの確認、及びアイコン５８への操作に応じて、所望の登場人物の登場するシーンからの再生が可能となり、ユーザの利便性が向上する。
【符号の説明】
【００５６】
１・・・情報処理装置
２・・・外部ディスプレイ
１０・・・ＯＳ
１１・・・映像再生プログラム
２１・・・データベース
４１・・・記録処理部
４２・・・インデキシング制御部
４３・・・復号部
４４・・・ＧＵＩ処理部
４５・・・表示制御部
５１・・・映像表示領域
５２・・・操作パネル
５３・・・ボタン
５４・・・ツールバー
５５・・・スライダ
５６・・・アイコン
５７・・・バルーン
５７Ａ〜５７Ｃ・・・顔画像
５８・・・カーソル
１０１・・・ＣＰＵ
１０２・・・ノースブリッジ
１０３・・・主メモリ
１０４・・・サウスブリッジ
１０５・・・ＣＰＵ
１０５Ａ・・・ＶＲＡＭ
１０６・・・ＬＣＤ
１０７・・・ＨＤＭＩ制御回路
１０８・・・ＨＤＭＩ端子
１０９・・・サウンドコントローラ
１１０・・・スピーカ
１１１・・・ＢＩＯＳ−ＲＯＭ
１１２・・・ＬＡＮコントローラ
１１３・・・ＨＤＤ
１１４・・・ＯＤＤ
１１５・・・マルチメディアプロセッサ
１１５Ａ・・・メモリ
１１６・・・無線ＬＡＮコントローラ
１１７・・・ＴＶチューナ
１１８・・・エンベデッドコントローラ／キーボードコントローラＩＣ
１１９・・・リモコンユニットインタフェース
１２０・・・キーボード
１２１・・・タッチパッド
【図１】
2010239210.tif 000003
【図２】
2010239210.tif 000004
【図３】
2010239210.tif 000005
【図４】
2010239210.tif 000006
【図５】
2010239210.tif 000007
【図６】
2010239210.tif 000008
【図７】
2010239210.tif 000009
【図８】
2010239210.tif 000010